(57)【特許請求の範囲】
【請求項１】
電話回線に接続された親機と、該親機と無線で接続された子機とからなり、前記親機と前記子機間でＩＤコードの確認をした後に通話回線を形成するようにしたコードレス電話装置において、前記親機、子機は、発呼を行う際に通話回線を形成したとき各々同一の手順によりＩＤコードを生成し、それ以前のＩＤコードと置き換えることを特徴とするコードレス電話装置。
【発明の詳細な説明】
【０００１】
【産業上の利用分野】
本発明は、ＩＤコードを変更可能とし、不正使用を防止するコードレス電話装置に関するものである。
【０００２】
【従来の技術】
一般にコードレス電話装置においては、親機と子機間での誤接続による誤課金等を防止するために、親機及び子機に同一のＩＤコードをメモリに記憶しておき、制御信号の送受信でＩＤコードの確認を行い、ＩＤコードが一致した場合のみ親機と子機の無線回線を通話チャンネルによって接続するように構成している。これは例えば実開平２−１１１９５３号公報に開示されている。
【０００３】
この構成では、通話毎に同じＩＤコードを使用するので、ＩＤコードが判明すると電話の不正使用が可能となる。
【０００４】
このような点に鑑み、子機を親機に設けた充電台に載せたとき、変更したＩＤコードを親機から子機に充電端子を介して送信するものや、無線回線の接続時に、次に使用するＩＤコードを親機から子機に送信するものが考えられた。
【０００５】
【発明が解決しようとする課題】
しかしながら、前者の構成では、充電端子を介しての送受信の構成を付加する必要が有り、充電端子に専用の送受信回路を設ける必要が有った。また、後者の構成では、無線回線の接続時に、次に使用するＩＤコードを無線回線を介して送信する処理が必要であり、通話チャンネルに移行するまでに時間がかかると共に、無線で次に使用するＩＤコードを送信するため、このＩＤコードを第三者が知ることも可能であり、完全に不正使用を防止することができない。
【０００６】
【課題を解決するための手段】
本発明は、電話回線に接続された親機と、該親機と無線で接続された子機とからなり、前記親機と前記子機間でＩＤコードの確認をした後に通話回線を形成するようにしたコードレス電話装置において、前記親機、子機は、発呼を行う際に通話回線を形成したとき各々同一の手順によりＩＤコードを生成し、それ以前のＩＤコードと置き換えることを特徴とする。
【０００７】
【発明の実施の形態】
図１は、親機１の構成を示し、２は回線接続回路３を介して電話回線Ｌと接続された送受信回路で、アンテナ４を介して子機８と通信を行うものである。５は親機１全体の制御を行うマイクロプロセッサからなる制御回路で、ＲＯＭからなるプログラムメモリ６に書き込まれたプログラムに従って制御を行うものである。７はＩＤコードが書き込まれた電気的に書き換え可能なＲＯＭからなるデータメモリで、データの読み書きが任意に可能で、電源が切断されても記憶されたデータは保持される。７はダイヤル信号発生回路で、子機８より送信されたダイヤル番号データに基づき、制御回路５の制御下にダイヤル信号を発生し、回線接続回路２を介して電話回線Ｌにこのダイヤル信号を送信する。
【０００８】
図２は、子機８の構成を示し、９は親機１よりの信号を受信する受信回路で、受信出力が受話用スピーカ１０で拡声されるように構成されている。１１は送話用マイクロホン１２からの音声信号を親機１に送信する送信回路、１３はＲＯＭからなるプログラムメモリ１４に書き込まれたプログラムに従って子機８全体を制御するマイクロプロセッサからなる制御回路で、受信回路９が受信した制御信号を解析して各種処理を行うと共に、各種制御信号を生成して送信回路１１に出力し、親機１に送信する。１５はダイヤル番号を入力するテンキー、通話を開始する通話キー、通話を終了する終話キーを含むキー回路、１６はＩＤコードが書き込まれた電気的に書き換え可能なＲＯＭからなるデータメモリで、データの読み書きが任意に可能で、電源が切断されても記憶されたデータは保持される。
【０００９】
ところで、親機１、子機８のデータメモリ７，１６には、工場の生産工程において予め所定の同一ＩＤコードが書き込まれているものとする。
【００１０】
次に図３は、子機８から通話要求する場合の親機１と子機８の動作説明図で以下これに基づいて動作を説明する。
【００１１】
まず、子機８の通話キーが操作されると、子機８の制御回路１３は、制御チャンネルを介してデータメモリ１６に記憶したＩＤコードを含む通話要求信号を親機１に送信する。これを受信した親機１の制御回路５は、受信したＩＤコードとデータメモリ７のＩＤコードとを比較し、それが一致すると、それ以前に空きを検出していた通話チャンネル番号データ、ＩＤコードを含む応答信号を子機８に送信する。尚、ＩＤコードが一致しなければ親機１の制御回路５は、応答信号を送信しない。応答信号を送信した親機１の制御回路５は、電話回線Ｌを閉結すると共に指定した通話チャンネルに切換え、それと同時にデータメモリ７に記憶したＩＤコードを所定の演算式により別個のＩＤコードに変換する。そして、この変換したＩＤコードをデータメモリ７のＩＤコードに対して上書きし、データメモリ７の内容を書き換える。一方、応答信号を受信した子機８の制御回路１３は、ＩＤコードの一致を確認した後、指定された通話チャンネルに切換える。このとき、子機１も親機８と同一の演算式によりデータメモリ１６に記憶したＩＤコードを変換し、データメモリ１６に上書きする。これにより、親機１と子機８のデータメモリ７，１６のＩＤコードは同一のものとなる。この後、子機８のテンキーが操作されると、制御回路１３は、それに対応したダイヤル番号データを子機８に送信し、これを受信した親機１の制御回路５はダイヤル信号を電話回線Ｌに出力する。このダイヤル発信に対して、被発呼者が応答すると通話することができる。通話後、子機８の終話キーが操作されると、制御回路１３は、終話信号を親機１に送信し、これを受信した親機１の制御回路５は電話回線Ｌを開放する。これにより、通話が終了する。
【００１２】
尚、通話チャンネルに移行後のダイヤル番号データ、終話信号の送信時にはＩＤコードは送信されない。
【００１３】
図示していないが、着信があった場合は、親機１から制御チャンネルにて着信検出信号が子機８に送信され、それに子機８が応答して制御チャンネルにて通話要求信号を送信し、更に親機１が制御チャンネルにて応答信号を送信した後、親機１及び子機８は前述したと同様に通話チャンネルの切換えと同時にＩＤコードの変更処理を行うことになる。
【００１４】
この様に、親機１・子機８共に制御チャンネルによる送受信から通話チャンネルへの切換え、即ち通話回線の確立を確認したタイミングでＩＤコードを変更しているので、親機１・子機８のＩＤコードの変更を同期させることができ、ＩＤコードが齟齬することを防止することができる。
【００１５】
また、ＩＤコードの変更において、データの送受信をする必要が無いので構成を簡単にすることができると共に、不正使用の防止を確実にすることができる。
【００１６】
【発明の効果】
本発明は、上記のように構成したものであるから、簡単な構成で確実に不正使用の防止可能なコードレス電話装置を提供することができる。
【図面の簡単な説明】
【図１】本発明のコードレス電話装置の親機のブロック図である。
【図２】本発明のコードレス電話装置の子機のブロック図である。
【図３】本発明のコードレス電話装置の動作説明図である。
【符号の説明】
１  親機
５  制御回路
７  データメモリ
８  子機
１３  制御回路
１４  データメモリ
【図１】
0003754228.tif 000002
【図２】
0003754228.tif 000003
【図３】
0003754228.tif 000004